(57)【要約】【課題】 パチンコ玉に付着した汚れを効率よく、かつ安価なランニングコストで除去することができるパチンコ玉の汚れ除去シートを提供すること。【解決手段】  樹脂フィルムの上に織布、編布、不織布または紙がラミネートされた研磨シートの表面側全体に、シリコーンオイルと、界面活性剤と、防錆剤とが均一に浸漬後乾燥されていて、パチンコ玉に付着したカーボン微粒子を除去可能としたことを特徴とするパチンコ玉の汚れ除去シート。【選択図】    図１
2007069046.tif 000002
【特許請求の範囲】
【請求項１】
樹脂フィルムの上に織布、編布、不織布または紙がラミネートされた研磨シートの表面側全体に、シリコーンオイルと、界面活性剤と、防錆剤とが均一に浸漬後乾燥されていて、パチンコ玉に付着したカーボン微粒子を除去可能としたことを特徴とするパチンコ玉の汚れ除去シート。
【請求項２】
さらに殺菌剤が含浸されている請求項１に記載のパチンコ玉の汚れ除去シート。
【請求項３】
さらに帯電防止剤が含浸されている請求項１または２に記載のパチンコ玉の汚れ除去シート。
【請求項４】
パチンコ玉研磨に際してロールとして用いられる請求項１〜３の何れかに記載のパチンコ玉汚れ除去シート。
【請求項５】
シリコーンオイルは、ジメチルポリシロキサンおよびそのアルキル変性やポリエーテル変性等の一種又は二種以上を混合したもので、粘度が１０〜１０００００センチストークスの範囲のものである請求項１に記載のパチンコ玉の汚れ除去シート。
【請求項６】
界面活性剤は、ポリオキシエチレンアルキルエーテル、ポリオキシエチレンアルキルフェニルエーテル、ポリオキシエチレンポリオキシプロピレングリコール、ポリオキシエチレンポリオキシプロピレンアルキルエテール、ポリオキシエチレンラノリン、ポリオキシエチレンラノリンアルコール、脂肪酸ジエタノールアミド、脂肪酸ポリオキシエチレンソルビタン、脂肪酸ポリグリセライド等の一種または二種以上を混合したもので、１０〜４０℃の温度範囲において液体状もしくはペースト状のものである請求項１に記載のパチンコ玉の汚れ除去シート。
【請求項７】
防錆剤は、メルカプトベンゾチアゾール、ペンゾトリアゾール、トリルトリアゾール等の一種または二種以上からなる請求項１に記載のパチンコ玉の汚れ除去シート。
【請求項８】
殺菌剤は、塩化ベンザルコニウム、塩化ベンゼトニウム、グルコン酸クロルヘキシジン又はトリクロサンからなる請求項１記載のパチンコ玉の汚れ除去シート。
【請求項９】
帯電防止剤は、塩化ジアルキルジメチルアンモニウム、塩化アルキルトリ又はメチルアンモニウムからなる請求項１に記載のパチンコ玉の汚れ除去シート。
【発明の詳細な説明】
【技術分野】
【０００１】
本発明は、パチンコ玉に付着した汚れを効率よく、かつ安価なランニングコストで除去することができるパチンコ玉の汚れ除去シートに関するものである。
【背景技術】
【０００２】
従来、パチンコ遊技機の遊技媒体であるパチンコ玉は、補給設備を構成する玉研磨装置内もしくは揚送装置内において織布や不織布をパチンコ玉の汚れ除去シートとして装着し、パチンコ玉に付着した汚れを除去する方法が主流であった。      
一方、最近のパチンコ遊技機においては、遊技状態の制御や景品玉払出機構の制御が電気的制御方式になってきており、パチンコ遊技機を構成する各種部材の材質とパチンコ玉の流動とによって静電気の帯電によるノイズの発生が生じるようになってきた。このノイズの発生を未然に防止するために、各種部材にカーボン材を混合させた合成樹脂部材に移行するようになった。この結果、パチンコ玉の流動時においてパチンコ遊技機に設けた玉誘導部材等からカーボン粒子がパチンコ玉に強固に付着し、パチンコ玉自体の光沢、艶、滑り等を損なうという現象が生じた。しかしながら、従来の単なる織布または不織布をパチンコ玉の汚れ除去シートとして玉研磨装置内もしくは揚送装置内に装着した場合には、前記カーボン微粒子等の発塵物質を完全に除去することが困難であり、従ってパチンコ玉の滞留や玉詰まりを頻繁に発生させるという問題点があった。
【特許文献１】特開平１０−１４６４５２号公報
【特許文献２】特開平７−５４１７７号公報
【特許文献３】特開昭６２−８２９８５号公報
【０００３】
一方、このようなカーボン微粒子等の発塵物質を除去する方法として、水洗処理あるいは水拭き処理等の洗浄工程を設けることが考えられるが、これを搬送ライン内に組み入れようとすると、乾燥装置等を設置する必要があって設備全体が複雑・過剰となり設備費のコストアップおよびランニングコストの高揚につながるとともに、処理能力にも制限が課せられるという問題点があった。
【発明の開示】
【発明が解決しようとする課題】
【０００４】
本発明は上記のような従来の問題点を解決して、パチンコ玉に付着したカーボン微粒子等の発塵物質の汚れを効率よく除去することができ、また設備費も安価でかつランニングコストも低廉なものとすることができるパチンコ玉の汚れ除去シートを提供することを目的として完成されたものである。
【課題を解決するための手段】
【０００５】
上記の課題を解決するためになされた請求項１の発明は、樹脂フィルムの上に織布、編布、不織布または紙がラミネートされた研磨シートの表面側全体に、シリコーンオイルと、界面活性剤と、防錆剤とが均一に浸漬後乾燥されていて、パチンコ玉に付着したカーボン微粒子を除去可能としたことを特徴とするものである。また、同一の課題を解決するためになされた請求項２の発明は、請求項１の発明において、さらに殺菌剤が含浸されているものである。さらに帯電防止剤が含浸されている発明を、請求項３に係る発明とし、パチンコ玉研磨に際してロールとして用いられるパチンコ玉汚れ除去シートを請求項４に係る発明とする。
【０００６】
前記シリコーンオイルは、ジメチルポリシロキサンおよびそのアルキル変性やポリエーテル変性等の一種又は二種以上を混合したもので、粘度が１０〜１０００００センチストークスの範囲のものが好ましく、これを請求項５に係る発明とする。また前記界面活性剤は、ポリオキシエチレンアルキルエーテル、ポリオキシエチレンアルキルフェニルエーテル、ポリオキシエチレンポリオキシプロピレングリコール、ポリオキシエチレンポリオキシプロピレンアルキルエテール、ポリオキシエチレンラノリン、ポリオキシエチレンラノリンアルコール、脂肪酸ジエタノールアミド、脂肪酸ポリオキシエチレンソルビタン、脂肪酸ポリグリセライド等の一種または二種以上を混合したもので、１０〜４０℃の温度範囲において液体状もしくはペースト状のものが好ましく、これを請求項６に係る発明とする。
【０００７】
また、防錆剤は、メルカプトベンゾチアゾール、ペンゾトリアゾール、トリルトリアゾール等の一種または二種以上からなるものとすることができ、これを請求項７に係る発明とする。さらに、殺菌剤は、塩化ベンザルコニウム、塩化ベンゼトニウム、グルコン酸クロルヘキシジン又はトリクロサンからなるものとすることができ、これを請求項８に係る発明とする。更には、帯電防止剤は、塩化ジアルキルジメチルアンモニウム、塩化アルキルトリ又はメチルアンモニウムからなるものとすることができ、これを請求項９に係る発明とする。
【発明の効果】
【０００８】
以上の説明からも明らかなように、本発明はパチンコ玉に付着したカーボン微粒子等の発塵物質の汚れを効率よく除去することができ、また設備費も安価でかつランニングコストも低廉なものとすることができるものである。
よって本発明は従来の問題点を一掃したパチンコ玉の汚れ除去シートとして、産業の発展に寄与するところは極めて大である。
【発明を実施するための最良の形態】
【０００９】
以下に、図面を参照しつつ本発明の好ましい実施の形態を示す。
【００１０】
図面は、シート基材１の上に接着剤もしくは接着性能を有するラミネート層２を介してパチンコ玉の研磨面を形成する織布、編布、不織布または紙３をラミネート加工したものである。
シート基材１としては、化学繊維からなる不織布や剛性を有する樹脂フィルムを用いることができる。化学繊維からなる不織布は、例えばポリエステルやナイロン等の化学繊維を格子状に絡み合わせてウェブを形成し、結合剤により互いに結合させたものである。また剛性を有する樹脂フィルムとしては、例えばＯＰＰ（延伸ポリプロピレン）フィルム等を使用することができる。このような化学繊維からなる不織布は、ケバ立ちがなく発塵性が低いという利点を有するとともに、安価でランニングコストも低減することができる。また、剛性を有する樹脂フィルムは強度に優れており、の汚れ除去シート全体の腰を強くして玉が押し付けられてもシワ等を発生させることがないという利点を有する。
また接着剤もしくは接着性能を有するラミネート層２は、ラミネート加工するための一般的なものを使用することができる。
【００１１】
織布、編布は、極細長化学繊維からなるものとすることができる。なお、極細長化学繊維とは、化学繊維のうち繊維径がミクロンオーダーの長繊維を意味するものであり、特に直径３μｍ以下（概略で０．３デニール以下）の繊維が好ましい。このような極細繊維は、パチンコ玉表面との接触面積が大きくなるため、少ない拭き取り回数で油膜や汚れを効果的に除去することができる。特に繊維断面が多角形の極細繊維を使用すれば、繊維のエッジによるくさび効果により細かい塵や油膜をも確実に除去することができる。また織布や編布としたとき、繊維径が小さいため優れた毛細管現象を発揮し、吸水性に優れた研磨布となる。なお長繊維としたのは、表面のケバ立ちをなくして発塵性を抑制するためである。この極細長化学繊維の材質としては、ポリエステルやナイロンを選択することができる。特にポリエステル製とすれば親油性に優れた研磨布となり、玉表面の油膜を効果的に除去することができ好ましい。これらの化学繊維は耐薬品性にも優れるため、油や水分以外の汚れが付着している場合にも研磨布が損傷されることはない。
化学繊維からなる不織布としては、前記シート基材に用いるものと同じもの使用することができる。
【００１２】
そして本発明では、前記パチンコ玉の研磨面を形成する織布、編布、不織布または紙の表面側のほぼ全領域にシリコーンオイルが均一に含浸されている。
更には、パチンコ玉の研磨面を形成する織布、編布、不織布または紙の表面側のほぼ全領域にシリコーンオイルと界面活性剤が均一に含浸されている。
このように、パチンコ玉の表面にシリコーンオイルを塗布することにより、玉に光沢性および潤滑性を付与し、またスリップ性も向上させることができ搬送経路上で滞留や詰まりが発生するのを的確に防止するとともに、玉が経路通過時に様々な個所を削って発塵させる現象も確実に防止することができる。更に、界面活性剤を塗布することにより、玉表面を確実に洗浄するとともに防汚処理することができる。
【００１３】
前記シリコーンオイルは、ジメチルポリシロキサンおよびそのアルキル変性やポリエーテル変性等を一種又は二種以上混合したもので、粘度が１０〜１０００００センチストークスの範囲のものが好ましい。粘度が低過ぎるとパチンコ玉の表面に被膜を長期間にわたって維持するのが難しく、粘度が高過ぎると織布や不織布等への含浸が難しくなるからである。
【００１４】
またシリコーンオイルは、イソプロパノール、アセトン、石油エーテル、水等の一種または二種以上を混合した溶媒にシリコーンオイルを溶解して得られる溶液、またはシリコーンオイルと界面活性剤および水からなる乳化液に、織布、編布、不織布または紙を浸漬し、絞った後に乾燥することにより含浸されている。このような溶液および乳化液を用いることにより、シリコーンオイルを織布や不織布等へ十分に含浸させることが可能となる。
【００１５】
一方、前記界面活性剤は、ポリオキシエチレンアルキルエーテル、ポリオキシエチレンアルキルフェニルエーテル、ポリオキシエチレンポリオキシプロピレングリコール、ポリオキシエチレンポリオキシプロピレンアルキルエテール、ポリオキシエチレンラノリン、ポリオキシエチレンラノリンアルコール、脂肪酸ジエタノールアミド、脂肪酸ポリオキシエチレンソルビタン、脂肪酸ポリグリセライド等の一種または二種以上を混合したもので、１０〜４０℃の温度範囲において液体状もしくはペースト状のものが好ましい。
このような界面活性剤であれば、織布や不織布等へ十分に含浸させることが可能となるからであり、また液体状もしくはペースト状であるため乾燥脱離や自己発塵して粉塵を発生させないからである。
【００１６】
そして前記シリコーンオイルおよびシリコーンオイルと界面活性剤は、イソプロパノール、アセトン、石油エーテル、水等の一種または二種以上を混合した溶媒にシリコーンオイルおよび界面活性剤を混合して得られる溶液、またはシリコーンオイルと界面活性剤および水からなる乳化液中に、織布、編布、不織布または紙を浸漬し、絞った後に乾燥することにより含浸されている。このような溶液または乳化液を用いることにより、シリコーンオイルおよび界面活性剤を織布や不織布等へ十分に含浸させることが可能となる。
【００１７】
なお、シリコーンオイルに加えてメルカプトベンゾチアゾール、ペンゾトリアゾール、トリルトリアゾール等の一種または二種以上の銅および銅合金からなる防錆剤を含浸させておくことも好ましく、この場合には遊技媒体であるパチンコ玉に研磨処理を施すと同時に防錆処理を施すこともできるという利点がある。
また、シリコーンオイルに加えて塩化ベンザルコニウム、塩化ベンゼトニウム、グルコン酸クロルヘキシジン、トリクロサン等の殺菌剤を含浸させておくことも好ましく、この場合には織布や不織布等に含浸した薬剤の防腐剤として機能する。更には、シリコーンオイルに加えて塩化ジアルキルジメチルアンモニウム、塩化アルキルトリメチルアンモニウム等の帯電防止剤を含浸させておくことも好ましく、この場合には帯電防止処理を施すことが可能になるという利点がある。
【００１８】
このように本発明は、パチンコ玉の研磨面を形成する織布、編布、不織布または紙の表面全体にシリコーンオイル、またはシリコーンオイルおよび界面活性剤が均一に含浸されている構造である。このため、パチンコ玉の表面にシリコーンオイルの被膜を満遍なく均一に形成して光沢性、潤滑性、スリップ性等を大幅に向上させることができ、搬送経路上における滞留や詰まりの発生を的確に防止できることとなる。また界面活性剤の被膜を形成した場合には、玉表面を確実に洗浄できるとともに防汚処理も施すことができることとなる。更には、パチンコ玉の汚れ除去シートとしては乾式のものであるため、何ら装置に改良等を加えることなく従来のパチンコ玉の汚れ除去シートに代えてそのまま使用することができ、しかもシリコーンオイルの被膜は長期間にわたり安定して塗布状態を維持できるため光沢性、潤滑性等に優れた高品質の玉を供給し続けることが可能となる。
【００１９】
なお、パチンコ玉の研磨面を形成する織布、編布、不織布または紙に部分的にシリコーンオイル、またはシリコーンオイルおよび界面活性剤を含浸させたものも考えられるが、この場合はミクロ的にみれば玉表面にシリコーンオイル等を点状にしか塗布することがでず被膜のない部分が形成されるため、十分な光沢性、潤滑性等を確保することができない。
【００２０】
（実施例）
重量％で、シリコーンオイル（ジメチルポリシロキサン）１０．０％、界面活性剤（ポリオキシエチレンアルキルエーテル）１．０％、防錆剤（トリルトリアゾール）０．０１％、防腐剤（塩化イソチアゾロンとイソチアゾロンの混合物）０．０１％、防錆剤の溶解助剤（エタノール）２．０％、水８６．９８％からなる乳化液を準備した。得られた乳化液は、乳白色のエマルジョン液であり、ｐＨ（２５℃）は７．０、比重は０．９９、粘度は４．０ｃｓであった。
【００２１】
この乳化液中に、化学繊維（ポリエステル繊維）からなる不織布を浸漬し、絞った後に乾燥させ、表面全体にシリコーンオイルおよび界面活性剤が均一に含浸している不織布を作成した。これをポリエステル繊維の不織布からなるシート基材上に、接着性能を有するラミネート層を介しラミネート加工してパチンコ玉の汚れ除去シートを得た。
【００２２】
このパチンコ玉の汚れ除去シートをパチンコ玉研磨にロールとしてセットし用いたところ、パチンコ玉は十分に浄化処理されてカーボン微粒子等の発塵物質の汚れも完全に除去されていることが確認できた。また、全くメンテナンスすることなく、従来のパチンコ玉の汚れ除去シートに比べて２倍以上の期間にわたって継続使用できることも確認できた。
【図面の簡単な説明】
【００２３】
【図１】本発明の実施の形態を示す断面図である。
【符号の説明】
【００２４】
１  シート基材
２  接着剤もしくは接着性能を有するラミネート層
３  パチンコ玉の研磨面を形成する織布、編布、不織布または紙
【図１】
2007069046.tif 000003